(57)【要約】【課題】モジュール型棚システム及びモジュール型棚システム用展示棚を提案する。【解決手段】一実施形態において、モジュール型棚システムは背板部及び基部を有する棚支持フレームを備える。少なくとも１つの展示棚モジュールが、棚支持フレームの背板部上で展示棚モジュールを縦方向及び横方向に位置決めできるように、棚支持フレームの背板部に着脱可能な態様で結合される。展示棚モジュール１０８は、内部空間１１８を定める、天板、底板及び側板を有することができる。展示棚モジュールの前面に表示パネル１２０を取り付けることができる。展示棚モジュールの内部空間内に、プロジェクタ２０６および複数の光学コンポーネントを配置することができる。プロジェクタは、表示パネルの前面上に画像データが見えるように、表示パネルの背面上に光信号を投射する。【選択図】図１３Ｂ
2020126683.tif 000002
【特許請求の範囲】
【請求項１】
展示棚モジュールにおいて、
前記展示棚モジュールの内部空間を画定する天板、随意的な底板及び側板、
前記展示棚モジュールの前面に取り付けられた表示パネル、
前記天板および前記底板から離間した水平部分を含むフレーム、
前記展示棚モジュールの前記内部空間内に配置された複数の光学コンポーネントであって、集光レンズ、画像デバイダ、複数の集束レンズ、および、少なくとも１つの後方ミラーを含み、前記複数の光学コンポーネントの１つ以上が前記フレームの前記水平部分に位置するものである複数の光学コンポーネント、並びに、
前記展示棚モジュールの前記内部空間内に配置された少なくとも１つのプロジェクタであって、前記表示パネルの前面上に画像データが見えるように、光信号を該表示パネルの背面上に投射する少なくとも１つのプロジェクタ
を含み、
前記少なくとも１つのプロジェクタから前記表示パネルの前記背面までの光路は、前記表示棚モジュールの前記内部空間内に収められたものである展示棚モジュール。
【請求項２】
前記画像デバイダは、前記少なくとも１つのプロジェクタからの前記光信号が前記画像デバイダ上に入射するように配置されて、該少なくとも１つのプロジェクタからの該光信号を複数の個別光信号に分割するものである、請求項１に記載の展示棚モジュール。
【請求項３】
前記画像デバイダは、相互にスタックされた複数枚のミラーを含むものである、請求項１に記載の展示棚モジュール。
【請求項４】
前記画像デバイダは、相互にスタックされた複数枚のミラーを含むものである、請求項２に記載の展示棚モジュール。
【請求項５】
前記画像デバイダは、前記プロジェクタからの前記光信号を複数の個別光信号に分割して、前記複数の個別光信号を前記表示パネルの背面へと向けるように配置されて、該複数の個別光信号に対応する複数の画像が該表示パネルの前記前面上に見えるようにするものである、請求項１に記載の展示棚モジュール。
【請求項６】
前記複数の画像は、互いに異なるものである、請求項５に記載の展示棚モジュール。
【発明の詳細な説明】
【技術分野】
【０００１】
本明細書は全般に製品を展示するための展示棚に関し、さらに詳しくは、製品情報を表示するためのプロジェクタを有する展示棚モジュールに関する。
【背景技術】
【０００２】
製品は一般に購買時点において棚上に展示される。棚の前縁には、単価、製品サイズ、値引き、製造者情報、等のような、棚上に展示されている製品に関する情報を伝える紙材タグまたは同様の表示板（サイネージ）が付けられていることが多い。これらのタグは一般に、それぞれに含まれている情報を更新するため、新しい紙材タグまたはサイネージと付け替えられる。それぞれのタグの付替えは時間と手間がかかる仕事である。
【０００３】
紙材タグの代替として電子タグが提案されている。電子タグには棚ユニットの前縁に取り付けられたＬＥＤまたはＬＣＤを含めることができる。タグは、棚上に展示されている製品に対応する製品情報を表示するため、個々にプログラムすることができる。しかし、そのようなディスプレイは高価であり、ディスプレイの故障につながる損傷を受け易い。さらに、そのようなディスプレイには独立電源が必要であり、独立電源は個々に再配線されなければならないから、隣接する棚の間の間隔の縦方向及び横方向の再調整は困難な作業になり得る。
【発明の概要】
【発明が解決しようとする課題】
【０００４】
したがって、代わりの、製品情報を表示するための展示棚モジュールが必要とされている。
【課題を解決するための手段】
【０００５】
一実施形態において、製品を展示するためのモジュール型棚システムは背板部及び基部を含む棚支持フレームを備える。少なくとも１つの展示棚モジュールは、展示棚モジュールが棚支持フレームの背板部上で縦方向に位置を定めることができるように、棚支持フレームの背板部に着脱可能な態様で結合させることができる。表示棚モジュールは天板、随意的な底板及び側板を備える。天板、随意的な底板及び側板は展示棚モジュールの内部空間を定める。表示パネルを展示棚モジュールの前面に取り付けることができる。展示棚モジュールの内部空間にプロジェクタを配置することができる。プロジェクタは、画像データが画像表示パネルの前面に見えるように、表示パネルの背面上に光信号を投射する。
【０００６】
別の実施形態において、一般消費者向け量産品を展示するためにモジュール型棚システムで使用するための展示棚モジュールは、天板、随意的な底板及び側板を備えることができる。天板、随意的な底板及び側板は展示棚モジュールの内部空間を定める。少なくとも１つの取付クリップが少なくとも１つの展示棚モジュールの後端から延びることができる。少なくとも１つの取付クリップは棚支持フレームの背板部の対応する取付開口に嵌合することができる。表示パネルを展示棚モジュールの前面に取り付けることができる。展示棚モジュールの内部空間にプロジェクタを配置することができ、プロジェクタは、画像データが画像表示パネルの前面に見えるように、表示パネルの背面上に光信号を投射する。プロジェクタから表示パネルの背面までの光路は実質的に水平である。展示棚モジュールは、棚支持面の背板部上で縦方向に展示棚モジュールの位置を定めることができるように、棚支持フレームの背板部に着脱可能な態様で結合させることができる。
【０００７】
また別の態様において、展示棚モジュールは、天板及びモジュール型棚システムの背板部に棚部を取り付けるための少なくとも１つの取付クリップを備えることができる。着脱可能なプロジェクタユニットを棚部に着脱可能な態様で結合させることができ、表示パネルが着脱可能なプロジェクタユニットの前面に取り付けられ、少なくとも１台のプロジェクタが着脱可能なプロジェクタユニットの内部空間に配置される。少なくとも１台のプロジェクタは、画像データが表示パネルの前面に見えるように、表示パネルの背面上に光信号を投射する。
【０００８】
本明細書に説明される実施形態によって与えられる上記の及びさらなる特徴は、以下の詳細な説明を図面とともに考察することでさらに十分に理解されるであろう。
【０００９】
図面に示される実施形態は例示のためであって、特許請求の範囲で定められる主題を限定する目的はない。例示実施形態の以下の詳細な説明は、同様の構造が同様の参照数字で指示される、以下の図面とともに読むことで理解され得る。
【図面の簡単な説明】
【００１０】
【図１】図１は、本明細書に示され、説明される、１つ以上の実施形態にしたがう、モジュール型棚システムの断面を簡略に示す。
【図２】図２は、本明細書に示され、説明される、１つ以上の実施形態にしたがう、展示棚モジュールと棚支持板の背板部の間の相互接続関係を示す、モジュール型棚システムの部分断面を簡略に示す。
【図３】図３は、本明細書に示され、説明される、１つ以上の実施形態にしたがう、展示棚モジュールの断面を簡略に示す。
【図４】図４は図３の展示棚モジュールの表示パネルをその上に表示された画像データとともに示す。
【図５】図５は図３の展示棚モジュールの内部空間に配置されたプロジェクタ並びに様々な光学コンポーネント及び電子コンポーネントを簡略に示す。
【図６】図６は、本明細書に示され、説明される、１つ以上の実施形態にしたがう、画像デバイダから表示パネルの背面までの光路を示す、図５の展示棚モジュールの断面を簡略に示す。
【図７】図７は、本明細書に示され、説明される、１つ以上の実施形態にしたがう、モジュール型棚システムのそれぞれの展示棚モジュールに配置されるプロジェクタの制御回路を簡略に示す。
【図８】図８は、本明細書に示され、説明される、１つ以上の実施形態にしたがう、モジュール型棚システムの断面を簡略に示す。
【図９】図９は、本明細書に示され、説明される、１つ以上の実施形態にしたがう、モジュール型棚システムの様々なコンポーネントの相互接続関係を簡略に示す。
【図１０Ａ】図１０Ａは、本明細書に示され、説明される、１つ以上の実施形態にしたがう、タッチ機能を有する表示パネル上に表示されたインタラクティブ画像コンテンツを簡略に示す。
【図１０Ｂ】図１０Ｂは、本明細書に示され、説明される、１つ以上の実施形態にしたがう、タッチ機能を有する表示パネル上に表示されたインタラクティブ画像コンテンツを簡略に示す。
【図１１】図１１は棚支持フレームの背板部を介して電力が供給される展示棚モジュールの一実施形態を簡略に示す。
【図１２】図１２は、本明細書に示され、説明される、別の実施形態にしたがう、展示棚モジュールの内部空間に配置されたプロジェクタ並びに様々な光学コンポーネント及び電子コンポーネントを簡略に示す。
【図１３Ａ】図１３Ａは、光学コンポーネントがフローティングフレーム上に配置されている、展示棚モジュールの一実施形態を簡略に示す。
【図１３Ｂ】図１３Ｂは、光学コンポーネントがフローティングフレーム上に配置されている、展示棚モジュールの一実施形態を簡略に示す。
【図１４】図１４は複数のプロジェクタを有する展示棚モジュールの一実施形態を簡略に示す。
【図１５】図１５はプロジェクタユニットを有する展示棚モジュールの簡略な側面図を示す。
【図１６】図１６は着脱可能なプロジェクタユニットを有する展示棚モジュールの簡略な前面図を示す。
【発明を実施するための形態】
【００１１】
図１及び５は一般消費者向け量産品を展示するためのモジュール型棚システム及びそのシステムで用いるための展示棚モジュールを全体的に示す。モジュール型棚システムは一般に背板部及び基部を含む棚支持フレームを備える。少なくとも１つの展示棚モジュールを、棚支持フレームの背板部上の展示棚モジュールの位置を縦方向で定めることができるように、棚支持フレームの背板部に着脱可能な態様で結合させることができる。展示棚モジュールは、天板、随意的な床板及び側板を有する。天板、随意的な床板及び側板はプロジェクタが配置される内部空間を定める。展示棚モジュールの前面に表示パネルを取り付けることができる。プロジェクタは、画像データが画像表示パネルの前面に見えるように、表示パネルの背面上に光信号を投射する。モジュール型棚システム及びモジュール型棚システムとともに用いるための展示棚モジュールの実施形態が添付図面を参照して本明細書に詳細に説明される。
【００１２】
図１をここで参照すれば、モジュール型棚システム１００の断面が簡略に示されている。モジュール型棚システム１００は一般に基部１０４及び背板部１０６を有する棚支持フレーム１０２を備える。基部１０４は図１に示されるように概ね平板形状を有し、背板部１０６を支持する。背板部１０６は基部１０４から実質的に垂直方向に（すなわち、図１に示される座標軸の＋Ｚ方向に）延びる。基部１０４及び背板部１０６は一般に、鋼鉄、アルミニウム合金のような金属材料または荷重支持用途に適するその他いずれかの材料で形成される。基部１０４及び背板部１０６は、基部１０４と背板部１０６が溶接等によって接合されている場合のように、単一体構造として構成することができる。あるいは、基部１０４及び背板部１０６は、独立構造として形成し、ねじ、ボルト、等のような、機械的締結具によって結合させることができる。
【００１３】
図１及び２を次に参照すれば、モジュール型棚システム１００は、隣接する棚間の縦方向及び／または横方向の間隔が調整可能であるように着脱可能な態様で棚支持フレームに結合される、１つ以上の展示棚モジュール１０８も備える。例えば、本明細書に説明される実施形態において、展示棚モジュール１０８は棚支持フレーム１０２の背板部１０６に着脱可能な態様で結合される。詳しくは、棚支持フレーム１０２の背板部１０６は複数の取付開口１１０を有して形成される。取付開口１１０は、背板部１０６上の１つ以上の展示棚モジュール１０８の調整可能な支持を容易にするようにＹ方向及びＺ方向に規則的間隔で背板部１０６に表面にかけてアレイ配列される。それぞれの展示棚モジュール１０８は展示棚モジュール１０８の後端から延びる１つ以上の取付クリップ１１２を有する。展示棚モジュール１０８を棚支持フレーム１０２の背板部１０６上に支持するため、展示棚モジュール１０８は、取付クリップ１１２が背板部１０６の対応する取付開口１１０に挿入されるように、配置される。展示棚モジュール１０８の重量が取付クリップ１１２を背板部１０６にロックし、よって展示棚モジュール１０８を棚支持フレーム１０２の背板部１０６に確実に固定する。
【００１４】
上述したように、背板部１０６は、背板部１０６の表面にわたって規則的間隔でアレイ配列された、複数の取付開口１１０を有する。取付開口１１０のアレイにより、背板部１０６上の様々な位置における展示棚モジュールの配置及び再配置が容易になる。したがって、モジュール型棚システム１００の展示棚モジュール１０８を、隣接する展示棚モジュールの間の縦方向及び／または横方向（すなわち、図１及び２に示される座標軸における±Ｚ方向及び／または±Ｙ方向）の様々な相対間隔をもって棚支持フレームに配置できることは当然である。
【００１５】
さらに、図２は取付開口１１０を有する背板部１０６及び取付クリップを有する展示棚モジュール１０を簡略に示しているが、他の構成も考えられることは当然である。例えば、別の実施形態において、展示棚モジュール１０８の後端に形成された１つ以上の取付開口を有する展示棚モジュール１０８を構成することができ、展示棚モジュールの対応する取付開口に嵌合するための取付クリップのアレイを有する背板部１０６を形成することができる。さらに、モジュール型棚システム１００は支持フレームの背板部１０６上の展示棚モジュール１０８の取付け、配置及び再配置を容易にするための取付開口及び取付クリップを有するとして本明細書に説明されるが、締結用ねじ部品（すなわち、ボルト、ねじ、等）、ブラケット、等を含むがこれらには限定されない、他の取付機構が可能であることは当然である。
【００１６】
図３を次に参照すれば、本明細書に説明される１つ以上の実施形態にしたがう、展示棚モジュール１０８の断面が簡略に示されている。展示棚モジュール１０８は一般に、開放（中空）内部空間１１８を概ね定める、天板１１４及び随意的な底板１１６を有する。棚は、天板１１４と底板１１６を連結し、解放内部空間１１８をさらに定める、側板（図示せず）をさらに有することができる。天板１１４は一般に平板であり、客が見て選ぶための展示棚モジュール１０８上の製品の配置を容易にする。いくつかの実施形態において、随意的な底板１１６は、展示棚モジュール１０８の底面を完全に囲む、実質的に平らで、中実の、材料のシートとすることができる。別の実施形態において、随意的な底板１１６は目の粗い金網または個別要素の組立格子を含むことができる。また別の実施形態（図示せず）において、随意的な底板は展示棚モジュール１０８の構成から省かれる。本明細書に示される実施形態において、展示棚モジュール１０８は、取付クリップ１１２が結合されているかまたは一体形成されている、裏板１２２も有する。天板１１４，裏板１２２，側板及び随意的な底板１１６は、鉄鋼またはアルミニウム合金を含むがこれらには限定されない、荷重支持用途に適する材料で形成される。さらに、いくつかの実施形態において、天板１１４，裏板１２２，側板、随意的な底板またはこれらの様々な組合せは、展示棚モジュール１０８につくられる、薄板材等のような、一枚板材で形成することができる。あるいは、天板１１４，裏板１２２，側板及び随意的な底板は、個別の板材で形成し、溶接、締結用ねじ部品及び／またはこれらの様々な組合せによって接合させることができる。
【００１７】
図３をまだ参照すれば、展示棚モジュール１０８は展示棚モジュール１０８の前面に取り付けられた一枚の表示パネル１２０をさらに有する。表示パネル１２０は展示棚モジュール１０８の前面の幅方向（すなわち、図３に示される座標軸の±Ｙ方向）に連続的に、継目無しで、広がり、一般に半透明材料で形成される。例えば、いくつかの実施形態において、表示パネル１２０は半透明ポリマー材料で形成される。いくつかの実施形態において、表示パネル１２０は積層構造を有することができる。別の実施形態において、表示パネル１２０は、例えば、３Ｍ社で製造されたＶｉｋｉｔｉ（商標）フィルムのような、１つ以上の半透明フィルムが張り付けられた透明ポリマー材料で形成することができる。また別の実施形態において、表示パネル１２０は半透明フィルムが張り付けられた薄いガラス基板で形成することができる。
【００１８】
いくつかの実施形態において、表示パネル１２０は、表示パネルの前面１２４上に表示される画像データの品質を向上させるため、表示パネルの背面１２６に形成された複数のフレネルレンズをさらに有することができる。例えば、いくつかの実施形態において、フレネル線の密度は約５０本/ｃｍとすることができる。別の実施形態において、フレネル線の数は、約１００本/ｃｍ以上のように、約５０本/ｃｍより多くすることができる。ＤＮＰデンマーク社から入手できるＸＰＳフィルム及びＣＳＩフィルムを含むがこれらには限定されない、適するフレネル線組込スクリーンはＤＮＰデンマーク社から入手することができる。しかし、フレネルパターンの形状寸法及びフレネル線の密度がプロジェクタとスクリーンの間の光路に合わせて特に調整され得ることは当然である。
【００１９】
表示パネル１２０は一般に、画像データを含む光信号が展示棚モジュール１０８の内部空間１１８内から表示パネルの背面１２６上に投射されたときの、表示パネル１２０の前面１２４上の画像データの表示を容易にするように構成される。したがって、表示パネル１２０が透過型スクリーンであることは当然である。
【００２０】
本明細書に説明されるいくつかの実施形態において、展示棚モジュール１０８は、展示棚モジュール１０８内に配置されたプロジェクタ並びに様々な光学コンポーネント及び電子コンポーネントの外部環境への曝露を防止するために封止することができる。例えば、展示棚モジュール１０８が冷凍／冷蔵環境または高温環境で利用され得ると考えられる。これらの実施形態において、天板、裏板、側板、底板及び表示パネルは、展示棚モジュール１０８内への水分及び／または結露の侵入を防止するため、様々なパネルの間を封止して組み立てることができる。適する封止材料には、シリコーン、特にＲＴＶ（室温硬化）シリコーン、天然または合成のエラストマーあるいは同様の市販封止材料があるがこれらには限定されない。
【００２１】
さらに、展示棚モジュール１０８の表示パネル１２０は、表示パネルの前面または背面上の結露を防止するため、防曇コーティングを有することができる。
【００２２】
例として図４を参照すれば、表示パネル１２０の背面上に投射された画像データ１２１ａ，１２１ｂ，１２１ｃを表示している、展示棚モジュール１０８の表示パネル１２０の前面１２４が簡略に示されている。図４に示されるように、表示パネル１２０の背面上に投射された画像データ１２１ａ，１２１ｂ，１２１ｃは展示棚モジュール１０８の前にいる客が見ることができ、一般に展示棚モジュール１０８上に配置された製品に関する、例えば、製品の正体、製品のサイズ、製品の値段、製品の製造者、セール情報、クーポン情報及びその他の同様の情報のような、情報を伝える。図４に示される実施形態において、いくつかの異なる製品に関する情報が単一の表示スクリーン上に同時に表示され得る。したがって、この実施形態においては、異なる製品「ラベル」への表示パネル１２０の区分化はパネル上に投射される画像データ１２１ａ，１２１ｂ，１２１ｃのコンテンツの結果であって、個々の離散スクリーンへのパネルの実区分化によるものではないことは当然である。
【００２３】
様々なビジュアルメディアコンテンツを表示パネル１２０上に投影することができる。例えば、「通常」モードにおいて、表示パネルは展示棚モジュール１０８上にある製品に関する情報（すなわち、値段、量、値引き、等）を表示することができる。あるいは表示パネルは別の情報を表示することができる。例えば、表示パネルは、いくつかのセール品の場所、製造者広告（静止画像及びビデオ画像）及び／または店からのメッセージ（すなわち、店の営業時間、安全警報、等）のような、店情報を表示することができる。そのような情報は、情報が実時間ベースで表示されるように、ネットワークまたは外部コンピュータシステムから直接にアップロードすることができる。本明細書でさらに詳細に説明されるように、インタラクティブコンテンツも表示することができる。
【００２４】
図５を次に参照すれば、表示パネル１２０上への画像データ１２１ａ，１２１ｂ，１２１ｃの投射を容易にするため、それぞれの展示棚モジュール１０８はプロジェクタ２０６並びに、展示棚モジュール１０８の内部空間１１８からの及び表示パネル１２０の背面１２６上への画像データを含む光信号の投射を容易にするための、関連する電子コンポーネント及び光学コンポーネントを有する。説明されるいくつかの実施形態において、画像データを含む光信号はそれぞれの展示棚モジュールの内部空間内から投射され、光信号はプロジェクタから表示パネルの背面への実質的に水平な光路を辿る。本明細書に用いられるような語「実質的に水平」は、プロジェクタと表示パネルの背面の間の光路が垂直方向に向けられるいかなる部分または区間も有していないことを意味する。したがって、いくつかの実施形態において、光路はプロジェクタと表示パネルの背面の間で高さ変化を有し得るが、いかなる垂直方向に向けられた区間も有してはいない。しかし、いくつかの実施形態において、プロジェクタと表示パネルの背面の間の光路は、光路全体が単一の展示棚モジュールの内部空間内に収められていれば、１つ以上の垂直成分を含むことができる。
【００２５】
本明細書に説明される実施形態において、プロジェクタ２０６は一般に、白色光源または複数のレーザ光源（すなわち、個別の、赤色、緑色及び青色のレーザ光源）のような、光源データ信号からの画像の構築を容易にするデジタルマイクロミラーデバイス（ＤＭＤ）及び（図７に簡略に示される）制御回路を有する。光源はＤＭＤに光学的に結合され、光源及びＤＭＤはともに、制御回路から送られるデータ信号からの静止画像及びビデオ画像の投影を容易にするため、制御回路に通信可能な態様で結合される。いくつかの実施形態において、プロジェクタ２０６は、上述したコンポーネントの組合せを含む、光エンジンを有することができる。例えば、光エンジンは、１つ以上の（白色光源、ＬＥＤアレイ光源及び／または複数のレーザ光源のような）照明素子、投影光学系及び制御回路に光学的に結合されたＤＭＤを含む、独立デバイスとすることができる。制御回路はデータ信号から画像を生成するためにＤＭＤと照明素子を駆動するために用いられる。生成された画像は投影光学系を有する光エンジン（及びプロジェクタ）から投影される。いくつかの実施形態において、プロジェクタの制御回路は、データ信号がオーディオコンテンツをさらに含んでいる場合のように、オーディオメッセージを再生するためのスピーカーをさらに有することができる。例えば、一実施形態において、制御回路は、プロジェクタ２０６による投影のために画像データがローカルに格納される、ハードディスクドライブまたはメモリカードのようなリムーバブルメモリのような、メモリ及び、メモリに格納された、画像データの投影を容易にする、マシンによる読出し及び実行が可能な、プログラムされた命令セットを実行するためのプロセッサを有することができる。あるいは、プロジェクタ２０６は、有線接続または無線接続によるような、通信が可能な態様で外部コンピュータシステム２０７に接続することができる。外部コンピュータシステム２０７は、画像データがリモートに格納され、投影のためにプロジェクタ２０６の制御回路に送信される、メモリを有することができる。外部コンピュータシステムは、プロジェクタによる画像データの投影を容易にする、外部コンピュータのメモリに格納された、マシンによる読出し及び実行が可能な、プログラムされた命令セットを実行するプロセッサも有することができる。プロジェクタ２０６の制御回路は投影される画像データを指示する制御信号をつくり、光源及びＤＭＤにより画像データを形成し、続いて、投影される画像を含む光信号を生成するために、この制御信号を利用する。
【００２６】
プロジェクタ２０６は光源及びＤＭＤを有するとして本明細書に説明されるが、他の様々なタイプのプロジェクタを展示棚モジュールに用い得ることは当然である。例えば、プロジェクタは。ＬＣＤプロジェクタ、走査型レーザプロジェクタまたは、その他の、同様のタイプの小型プロジェクタ装置とすることができる。
【００２７】
図５をまだ参照すれば、展示棚モジュール１０８は、プロジェクタ２０６で生成された光信号の表示パネル１２０の背面１２６への送達を容易にする、様々な光学コンポーネントも有する。例えば、本明細書に説明される実施形態において、それぞれの展示棚モジュール１０８は、集光レンズ２１０，画像デバイダ２１２，複数の集束レンズ２１４ａ，２１４ｂ，２１４ｃ，前方ミラー２１６及び少なくとも１つの後方ミラー（図５に示される後方ミラー２１８ａ，２１８ｂ，２１８ｃ）も有する。
【００２８】
集光レンズ２１０は、プロジェクタ２０６から発せられた光信号が画像デバイダ２１２に到達する前に集光レンズ２１０を通過するように、プロジェクタ２０６と画像デバイダ２１２の間の光路に配置される。集光レンズ２１０はプロジェクタ２０６から発せられた光信号を高密度化し、中に含まれる画像の寸法を縮小する。
【００２９】
集光レンズ２１０を通過した後、光信号は、プロジェクタ２０６により発せられた光信号の光路に配置された、画像デバイダ２１２上に入射する。画像デバイダ２１２は一般に相互にスタックされた複数枚（図５に示される実施形態では３枚）のミラーを有し、それぞれのミラーの反射面はスタック内の他のミラーのそれぞれに対してある角度をなすようにスタックされている。スタック内のそれぞれのミラーの方位により、画像デバイダ２１２はプロジェクタ２０６からの光信号を複数の個別光信号２１３ａ，２１３ｂ，２１３ｃに分割し、個別光信号のそれぞれは別々の光路に沿うように方向転換される。画像デバイダから反射される個別光信号の数はスタックに含まれるミラーの枚数に対応する。本明細書に説明されるいくつかの実施形態において、個別光信号２１３ａ，２１３ｂ，２１３ｃのそれぞれの画像コンテンツは、プロジェクタ２０６により生成された光信号が同じ画像の複数のコピーである場合のように、同じとすることができる。あるいは、画像デバイダから反射される個別光信号２１３ａ，２１３ｂ，２１３ｃの画像コンテンツは、プロジェクタ２０６により生成された光信号が複数の異なる画像に対するコンテンツを有し、画像デバイダ２１２がプロジェクタからの光信号を個別光信号に分割して、個別光信号のそれぞれが異なる画像を表している場合のように、相互に異ならせることができる。画像デバイダは個別光信号２１３ａ，２１３ｂ，２１３ｃを前方ミラー２１６に向けて反射するように方位が定められる。
【００３０】
図５及び６を次に参照すれば、前方ミラー２１６は展示棚モジュール１０８の内部空間１１８内に配置され、展示棚モジュール１０８の幅の少なくとも一部にわたって広がる。前方ミラー２１６の反射面は、個別光信号２１３ａ，２１３ｂ，２１３ｃを展示棚モジュール１０８の後部に配置された後方ミラー２１８ａ，２１８ｂ，２１８ｃに向けて反射するように方位が定められる。前方ミラー２１６に達する前に、複数の個別光信号２１３ａ，２１３ｂ，２１３ｃはそれぞれ、複数の集束レンズ２１４ａ，２１４ｂ，２１４ｃを通過する。集束レンズ２１４ａ，２１４ｂ，２１４ｃは画像デバイダ２１２と前方ミラー２１６の間の光路に配置され、複数の個別光信号２１３ａ，２１３ｂ，２１３ｃを前方ミラー２１６上に集束させ、続いて、前方ミラー２１６が個別光信号２１３ａ，２１３ｂ，２１３ｃを対応する後方ミラー２１８ａ，２１８ｂ，２１８ｃに向けて反射する。後方ミラー２１８ａ，２１８ｂ，２１８ｃは個別光信号２１３ａ，２１３ｂ，２１３ｃを展示棚モジュール１０８の前面に向け、個別光信号のそれぞれにある画像データを表示パネル１２０の前面１２４上に見ることができるように、表示パネル１２０の背面１２６上に反射するように方位が定められる。１つの個別光信号２１３ｂについて、画像デバイダ２１２から表示パネル１２０の背面１２６までの光路の側面図が簡略に示される。
【００３１】
図１３Ａ及び１３Ｂを次に参照すれば、一実施形態において、展示棚モジュール１０８の光学コンポーネント（すなわち、プロジェクタ２０６，ミラー２１６，２１８ａ，２１８ｂ，２１８ｃ，画像デバイダ２１２，集光レンズ２１０及び集束レンズ２１４ａ，２１４ｂ，２１４ｃ）は展示棚モジュール１０８の天板１１４及び底板１１６から少なくともある程度機械的に隔離される。この実施形態において、展示棚モジュールの光学コンポーネントは、ねじ、接着剤、等によるように、展示棚モジュールの裏板１２２に取り付けられたフローティングフレーム５５０に取り付けられる。フローティングフレーム５５０はベース５５２及び、ベース５５２に取り付けられた、一対のカンチレバー式支持アーム５５４を有する。ベース５５２は展示棚モジュール１０８の天板１１４及び底板１１６から隔離される。プロジェクタ２０６，画像デバイダ２１２及び集光レンズ２１０はベース５５２に取り付けられる。ミラーはカンチレバー式支持アーム５５４に取り付けられる。したがって、フローティングフレーム５５０により、天板１１４と底板１１６の間での光学コンポーネントの「フローティング」が可能になり、よって展示棚モジュールの天板１１４及び底板１１６からの光学コンポーネントの少なくともある程度の隔離が可能になることは当然である。
【００３２】
一実施形態において、フローティングフレーム５５０は展示棚モジュール１０８の天板１１４と底板１１６の間に延びる少なくとも１つのフローティングスタンション５６０をさらに有する。本明細書に説明される実施形態において、フローティングスタンション５６０が展示棚モジュール１０８の底板１１６に取り付けられ、天板１１４及び底板１１６のいずれかが反った場合に、展示棚モジュール１０８内の光学コンポーネント（及び光学コンポーネントの位置合わせ）に干渉することなく、反りが対向する面に伝達され、よって光学コンポーネントを天板１１４と底板１１６の間で「フローティング」させたままにすることを可能にするように、天板１１４と底板１１６を結合する。フローティングスタンション５６０とともにまたはフローティングスタンション５６０無しで用いられるこのフローティングフレーム５５０は、光学コンポーネントに展示棚モジュールの上面または底面にかかる大きな荷重に対するある程度の保護を提供し、光学コンポーネントの位置合わせずれ発生及び／または損傷を防止する。
【００３３】
少なくとも１つの後方ミラーが本明細書に示され、複数の後方ミラー２１８ａ，２１８ｂ，２１８ｃを含むとして図５に示されるが、別の実施形態において、後方ミラーは、後方ミラーが湾曲している場合のように、単一ミラーとして構成され得ることは当然である。
【００３４】
さらに、図５において展示棚モジュールは光信号の表示パネル１２０の背面上への誘導を容易にするための特定の光学コンポーネント構成を有するとして示されるが、他の構成が考えられることは当然である。例えば、一実施形態において、プロジェクタによって生成される光信号の複数の個別光信号への還元を容易にするため、画像デバイダ２１２の代わりにプリズムを用いることができる。あるいは、プロジェクタによって生成される光信号を複数の個別光信号に還元するため、複数の小型レンズを利用することができる。
【００３５】
本明細書に説明され、示される、展示棚モジュール１０８の実施形態において、表示パネル上に画像を投影するために用いられるプロジェクタ及び様々な光学コンポーネントはそれぞれの展示棚モジュール内に配置される。このモジュール型構造により、プロジェクタと表示パネルの間の光路長を変えずに展示棚モジュールの位置を背板上で縦方向及び／または横方向に調節することが可能になる。したがって、１つ以上の展示棚モジュールを組み込んでいる棚システムは、光路を変更することなく、及び／または光路の変更に適合するためにべつの光コンポーネントを付加することなく、異なる棚間隔、棚数及び棚の向きに適合するように、容易にまた迅速に再構成することができる。
【００３６】
図５及び６は、単一の光信号から複数の画像を表示するために単一のプロジェクタが画像デバイダとともに用いられる、展示棚モジュールの実施形態を示すが、他の実施形態が考えられることは当然である。例として図１４を参照すれば、展示棚モジュール３０８の別の実施形態の上面図が簡略に示されている。この実施形態において、展示棚モジュール３０８は一般に、図３に関した上述したように、一つになって全体として開放（中空）内部空間３１８を定める、天板（図示せず）、随意的な底板、裏板３２２及び側板３３０ａ，３３０ｂを有する。天板、裏板、側板及び随意的な底板は、鉄鋼またはアルミニウム合金を含むがこれらには限定されない、荷重支持用途に適する材料で形成される。さらに、いくつかの実施形態において、天板、裏板、側板、随意的な底板またはこれらの様々な組合せは、展示棚モジュール３０８につくられる、薄板材等のような、一枚板材で形成することができる。あるいは、天板，裏板，側板及び随意的な底板は、個別の板材で形成し、溶接、締結用ねじ部品及び／またはこれらの様々な組合せによって結合させることができる。展示棚モジュール３０８は、図３に関して上述したように、展示棚モジュール３０８の前面に取り付けられた単一の表示パネル３２０をさらに有する。しかし、この実施形態において、展示棚モジュールは、展示棚モジュール３０８の内部空間３１８内に配置された複数のプロジェクタ３０６ａ〜３０６ｄを有する。それぞれのプロジェクタは、画像データが表示パネル３２０の前面３２４上に見えるように、表示パネル３２０の背面３２６の一部上に画像データを投影するように方位が定められる。複数のプロジェクタ３０６ａ〜３０６ｄのそれぞれは表示パネル３２０上に個別の画像コンテンツ及び／または動画コンテンツを投影する。いくつかの実施形態において、それぞれのプロジェクタによって投影される画像データは前面３２４のそれぞれの部分上に表示される画像データが前面の隣接する部分上に表示される画像データに関係付けられるように、残りのプロジェクタによって投射される画像データに関係付けられる。例えば、いくつかの実施形態において、それぞれのプロジェクタによって投影される画像データは表示パネルの前面３２４上に投影される単一の画像の一部である。
【００３７】
図５及び７を次に参照すれば、いくつかの実施形態において、展示棚モジュールは少なくとも１つの光検出器をさらに有することができる。図５に示される展示棚モジュール１０８の実施形態において、展示棚モジュールは，第１の光検出器２２０ａ，第２の光検出器２２０ｂ及び第３の光検出器２２０ｃを有する。光検出器は、プロジェクタからの光信号が表示パネルに到達する前に光検出器に入射するように、表示パネルの近傍に配置される。例えば、光検出器は表示パネル１２０の背面１２６に取り付けることができ、あるいは表示パネルの背面に隣接させて配置することができる。光検出器のそれぞれは、有線電気接続によるか、あるいは光検出器をプロジェクタ２０６の制御回路に光結合する光パイプによって、プロジェクタの制御回路に通信可能な態様で接続される。
【００３８】
一実施形態において、それぞれの光検出器は光の異なる波長の強度を検出するために較正される。例えば、第１の光検出器は可視光の第１の波長範囲の強度を検出するように較正することができ、第２の光検出器は可視光の第２の波長範囲の強度を検出するように較正することができ、第３の光検出器は可視光の第３の波長範囲の強度を検出するように較正することができる。一実施形態において、第１の波長範囲は可視スペクトルの赤色領域内の波長を含み、第２の波長範囲は可視スペクトルの青色領域内の波長を含み、第３の波長範囲は可視スペクトルの緑色領域内の波長を含む。この実施形態において、光検出器は、プロジェクタの光源が個別の赤色レーザ光源、青色レーザ光源及び緑色レーザ光源を含む場合の、プロジェクタによって投射される光信号の強度のモニタに特によく適している。
【００３９】
光検出器２２０ａ，２２０ｂ，２２０ｃは、プロジェクタによって投射される光信号の強度を表す強度信号を出力し、強度信号をプロジェクタ２０６の制御回路に送る。一実施形態において、プロジェクタ２０６の制御回路のプロセッサが光検出器からの強度信号を解析し、いずれかの強度信号が閾強度値を下回っているか否かを判定する。光検出器からの強度信号のいずれかが閾強度値を下回っていれば、制御回路はエラー信号を出力する。制御回路からのエラー信号は可視信号及び／または可聴信号に変換することができる。例えば、エラー信号は、ＬＥＤインジケータを点灯させ、よって展示棚モジュールの修繕が必要であり得るという可視信号を提供するために用いることができる。
【００４０】
プロジェクタ２０６が、上述したように、外部コンピュータシステム１０７に接続されている実施形態において、光検出器２２０ａ，２２０ｂ，２２０ｃは、プロジェクタによって投射される光信号の強度を示す強度信号を出力し、強度信号をプロジェクタ２０６の制御回路に送る。続いて、制御回路は強度信号を外部コンピュータシステム２０７に中継する。外部コンピュータシステム２０７のプロセッサが強度信号を解析し、いずれかの強度信号が閾強度値を下回っているか否かを判定する。光検出器からの強度信号のいずれかが閾強度値を下回っていれば、エラー信号が外部コンピュータシステムによって発生される。一実施形態において、外部コンピュータシステムによって発生されたエラー信号は可視エラーメッセージを、モニタ等のような、ユーザインターフェース上に出現させる。別の実施形態において、外部コンピュータシステムによって発生されたエラー信号は可視信号及び／または可聴信号に変換され得る。例えば、エラー信号は、ＬＥＤインジケータを点灯させ、よって展示棚モジュールの修繕が必要であり得るという可視信号を提供するために用いることができる。
【００４１】
図８及び９を次に参照すれば、いくつかの実施形態において、展示棚モジュール１０８は立体照明装置２６０をさらに有することができる。立体照明装置２６０は、格子模様または縞模様の光のような、アレイ光２６１を投射するための光源及び投射されたアレイ光２６１の像を取り込むためのセンサを有する。アレイ光は可視光とするかあるいは赤外光とすることができる。本明細書に説明される実施形態において、立体照明装置２６０は、展示棚モジュール１０８の内部空間内に配置され、アレイ光２６２を、下方の、縦方向に隣接する展示棚モジュール１０８の表面上に投射するように方位が定められる。立体照明装置２６０は、図９に簡略に示されるように、外部コンピュータシステム２０７に通信可能な態様で接続される。したがって、外部コンピュータシステム２０７から伝達される制御信号によって立体照明装置２６０を制御するため、及び立体照明装置２６０から受け取られるデータ信号を処理するために、外部コンピュータシステム２０７が用いられ得ることは当然である。
【００４２】
立体照明装置２６０は縦方向に隣接する展示棚モジュール１０８の表面上に、及び縦方向に隣接する展示棚モジュール１０８上に配置されたいずれの製品４００の表面上にも、アレイ光２６１を投射する。また立体照明装置２６０は投射されたアレイ光２６１の像を取り込み、展示棚モジュール１０８上に配置された製品の量の決定のために外部コンピュータシステムに像データを送る。詳しくは、展示棚モジュール１０８上に投射されたアレイ光２６１の像は展示棚モジュール１０８上に配置された製品４００の量及び向きに基づいて変化し、外部コンピュータシステムが棚上に配置された製品の量及び／または棚をいつ補充する必要があるかを決定する。
【００４３】
一実施形態において、外部コンピュータシステム２０７は投射されたアレイ光２６１の取り込まれた像を、棚が製品４００で一杯である場合のような、棚にあらかじめ定められた量の製品がある場合のアレイ光の像及び／または棚が空である場合のアレイ光の像と比較することができる。この比較に基づいて、外部コンピュータシステムはさらに製品４００を棚に足すべきであるか否かを決定する。
【００４４】
別の実施形態において、外部コンピュータシステム２０７は、外部コンピュータシステムのメモリ内のルックアップテーブル（ＬＵＴ）に格納された複数の像を用いて、投射されたアレイ光２６１の取り込まれた像を棚にあらかじめ定められた量の製品がある場合のアレイ光の像と比較することができる。ＬＵＴに格納された複数の像のそれぞれは様々な量の製品が棚上に配置されている展示棚ユニット上に照射されたアレイ光の像に対応する。外部コンピュータシステム２０７は、投射されたアレイ光の取り込まれた像とＬＵＴに格納された複数の像の比較に基づいて、棚上に配置された製品４００の量及び／またはさらに製品４００を棚に足すべきであるか否かを決定する。
【００４５】
与えられた長さの時間にわたり棚上に配置された製品の量をモニタすることによって様々なトレンドを追跡するために、立体照明装置２６０及び外部コンピュータシステムを用いることができるとも考えられる。そのようなトレンドには、客の購買傾向、製品取出し率、製品補充のタイミング及び速度、等を含めることができる。
【００４６】
図８及び９に示される棚モジュールは立体照明２６０を有するとして説明されるが棚上の製品の量をモニタするための他のデバイスも用いられ得ることは当然である。例えば、別の実施形態（図示せず）において、展示棚モジュールは、代わりに、下の棚上に配置された製品の像を取り込むために用いられる立体視システムを有することができる。立体視システムは外部コンピュータシステムに通信可能な態様で接続することができ、下の棚上に配置された製品の像を外部コンピュータシステムに送るように構成することができる。外部コンピュータシステムは立体照明装置に関して上述した態様と同様の態様で像を解析し、解析に基づいて、棚上に配置された製品の量及び棚に補充が必要か否か、等を決定する。
【００４７】
図８及び９をまだ参照すれば、別の実施形態において、モジュール型棚システム１００の展示棚モジュール１０８は、さらにまたはあるいは、バーコードリーダー２７０を有することができる。バーコードリーダー２７０は展示棚モジュール１０８の前縁近傍に配置し、図８に示されるように、棚の表示パネルの前面または棚の底板の下側において提示されるバーコードをスキャンするように方位を定めることができる。バーコードリーダーはバーコードをスキャンするために投射光２７１を用い、スキャンしたバーコードを表す信号を外部コンピュータシステム２０７に送る。したがって、図９に示されるように、バーコードリーダー２７０が外部コンピュータシステム２０７に通信可能な態様で接続されることは当然である。
【００４８】
一実施形態において、外部コンピュータシステム２０７はスキャンしたバーコードを表す信号を用いて、そのバーコードに関連付けられた製品をバーコードにしたがって索引が付けられた製品情報のデータベースから識別する。外部コンピュータシステム２０７は次いで、値段、値引き、等のような、製品に関する情報をプロジェクタ２０６によって表示パネル上に投影することができる。
【００４９】
別の実施形態において、バーコードリーダー２７０によってバーコードがスキャンされるときに、外部コンピュータシステム２０７は、表示パネル１２０を介する直接入力（以降でさらに説明される）によるかまたはバーコードリーダー２７０による客のアカウント情報の入力をユーザに促すプロンプトを表示パネル１２０上に表示する。外部コンピュータシステム２７０は次いで製品に関する情報をプロジェクタ２０６によって表示パネル上に投射し、製品に関する情報を客のアカウント情報に関連付けられた電子アカウントに格納し、及び／または製品に関する情報を客のアカウント情報に関連付けられた電子メールアドレスに電子メールで送ることができる。
【００５０】
図８及び９をまだ参照すれば、別の実施形態において、モジュール型棚システム１００の展示棚モジュール１０８の表示パネル１２０はタッチスクリーンとすることができる。表示パネル１２０のタッチ機能を容易にするため、赤外線タッチスクリーン技術及び／または光タッチスクリーン技術を含むがこれらには限定されない、様々な技術を利用することができる。例えば、一実施形態において、表示パネル１２０は光タッチスクリーンである。この実施形態において、展示棚モジュール１０８は、表示パネル１２０の背面を赤外光で照明する、１つ以上の赤外線バックライト２８０を有する。展示棚モジュール１０８は画像センサのような（図８には示されていない）１つ以上の検出器２８２，２８４も有する。検出器は展示棚モジュール１０８の内部空間内に配置され、表示パネル１２０の背面の像を取り込むように方位が定められる。検出器２８２，２８４は外部コンピュータシステム２０７に通信可能な態様で接続され、表示パネル１２０の背面の像を表すデータ信号を外部コンピュータシステム２０７に送る。
【００５１】
動作において、表示パネル１２０の背面は赤外線バックライト２８０からの赤外光で全面照明される。同時に、上述したように、表示パネル１２０の前面上に画像データを表示させることになる光信号がプロジェクタ２０６（図５）によって表示パネル１２０の背面上に投射される。表示される画像データは、画像データが、追加情報にアクセスするための表示パネルのある領域へのタッチを客に促す、追加情報を入力するための表示パネルのある領域へのタッチを客に促す、等の場合のように、インタラクティブとすることができる。客が表示パネルに触れると、その接触は表示パネルの背面上の影として表れる。検出器２８２，２８４は影の画像を外部コンピュータシステム２０７に中継し、外部コンピュータシステムは画像の比較に基づいて表示パネル上の影の位置を決定する。一実施形態において、影の位置がインタラクティブ画像データの場所に対応すると外部コンピュータシステムが決定すると、外部コンピュータシステムは新しい画像データを表示パネル上に投影する。別の実施形態において、投影された仮想キーパッドによるような、追加情報の入力を客が促される場合、外部コンピュータシステムは影を仮想キーパッドのキー位置に相互関連付け、それにしたがって入力を処理する。
【００５２】
例として図８〜９及び１０Ａ〜１０Ｂを参照すれば、画像データ１２１ａ，１２１ｂ，１２１ｃを表示している、展示棚モジュール１０８の表示パネル１２０が簡略に示されている。「クーポン券利用できます」と表記された仮想ボタン２８６に客が触れると、外部コンピュータシステム２０７は検出器２８２，２８４を用いて仮想ボタン２８６に対応する接触場所を決定し、図１０Ｂに示されるように、要求された製品情報を表示するために表示画像１２１ｂを更新する。
【００５３】
したがって、表示パネル１２０がタッチ機能を有していれば、客から受け取った入力にしたがって更新されるインタラクティブコンテンツを表示するために展示棚モジュール１０８が用いられ得ることは当然である。さらに、プロジェクタ２０６及び／または外部コンピュータシステム２０７に設定を入力するために店員及び／または売り主によって表示パネル１２０のタッチ機能が用いられ得ることも当然である。
【００５４】
図１２を次に参照すれば、タッチ機能を持つ展示棚モジュール１０８の別の実施形態が簡略に示されている。この実施形態において、展示棚モジュール１０８はプロジェクタ２０６と集光レンズ２１０の間の光路に配置された、ダイクロイックビームスプリッタのような、ビームスプリッタ５２２をさらに有する。ビームスプリッタ５２２は表示パネル１２０の背面１２６の画像を、赤外線カメラのような光センサ５２０上に向けるように構成される。光センサ５２０は外部コンピュータシステム２０７に通信可能な態様で接続され、表示パネル１２０の背面１２６の画像を表す信号を外部コンピュータシステムに中継するように構成される。展示棚モジュール１０８は、ＬＥＤ素子が表示パネル１２０の背面１２６を赤外光で照射するように、展示棚モジュールの内部空間１１８内に配置された赤外ＬＲＤ素子アレイ５２４をさらに有する。
【００５５】
動作において、表示パネル１２０の背面１２６は赤外ＬＲＤ素子アレイ５２４からの赤外光で照射され、表示パネル１２０の背面１２６の画像がセンサ５２０によって取り込まれる。詳しくは、アレイ５２４からの赤外光が表示パネル１２０の背面１２６を照明し、表示パネル１２０の背面１２６からの反射光が表示パネル１２０の背面１２６からビームスプリッタ５２２までの光路を引き返す。ビームスプリッタ５２２は、赤外光にビームスプリッタ５２２を逆に通過させてプロジェクタ２０６に到達させずに、赤外光をセンサ５２０上に向ける。センサ５２０は表示パネル１２０の背面１２６の画像を取り込み、画像を表す信号を外部コンピュータシステム２０７に中継する。上述したように、インタラクティブ画像コンテンツが表示パネル１２０の前面１２４上に表示され、表示パネル１２０の前面１２４上に投影された仮想ボタンを押すことによってユーザが表示パネル１２０と相互作用すると、表示パネル１２０との接触が表示パネル１２０の背面１２６の赤外線画像上に影または暗点として表れる。外部コンピュータシステム２０７は画像を解析して影の場所を決定し、その場所が仮想ボタンまたは画像データの他のインタラクティブコンテンツの場所に対応していれば、影の場所に基づいて表示パネル１２０上に表示される画像データを更新する。
【００５６】
別の実施形態において、展示棚モジュールは物の、マーカーによるかまたはマーカーによらない検出及び識別のために用いられる１つ以上のデバイスを有することができる。例えば、一実施形態（図示せず）において、図８を参照して上述したように、表示パネルを通して立体照明光を投射し、ビジョンシステムでモニタすることができる。立体照明光の、人、製品、ショッピングカート、等のような、物との相互作用を、物の識別及び／または物の識別の補助のために外部コンピュータシステムで用いることができる。物が識別されれば、物に関する情報を表示パネル上に表示することができる、
別の実施形態（図示せず）において、展示棚モジュールは、客が棚の方向を眺めているときを判定するための、外部コンピュータシステムに通信可能な態様で接続された視線追跡システムを有することができる。客が棚の方向を眺めていることを外部コンピュータシステムが検出すると、棚の製品に客の注意を引くため、表示パネル上に追加のコンテンツを表示することができる。したがって、表示パネル上に投影されるコンテンツを調整するために視線追跡システムを用いることができる。あるいは、外部コンピュータシステムは客が棚を見つめる毎に１カウントを単に記録することができる。このタイプのデータはマーケットリサーチ目的に用いることができる。
【００５７】
いくつかの実施形態において、展示棚モジュールは、様々な他のデバイスに情報を送るかまたは様々な他のデバイスから情報を受け取るため、様々な無線技術を利用することができる。例えば、展示棚モジュールは客のスマートフォンまたは同様のデバイスに、タッチスクリーン表示パネルへの入力によって指令されたときに、情報を送るために無線技術を利用することができる。別の実施形態において、展示棚モジュールの制御回路及び／または外部コンピュータシステムはネットワークからデータを無線で受け取り、そのデータを表示パネル上に表示することができる。
【００５８】
本明細書に説明されるいくつかの実施形態において、展示棚モジュールの様々なコンポーネントにはイーサネット（登録商標）接続を介して電力が供給される。これらの実施形態において、展示棚モジュール１０８のプロジェクタ２０６は有線「イーサネット」接続によって外部コンピュータシステムと通信可能な態様で接続される。「イーサネット」接続により、プロジェクタと外部コンピュータシステム１０７の間のデータ交換が可能になり、プロジェクタ２０６及びプロジェクタの制御回路に電気的に接続されている関連コンポーネント（すなわち、センサ、ＬＥＤ、ＵＳＢポート、冷却ファン、等）への電力も供給される。
【００５９】
別の実施形態において、展示棚モジュール１０８の様々なコンポーネントには棚支持フレームの背板部１０６を介して電力が供給される。例として図１１を参照すれば、棚支持フレームの背板部１０６は取付開口１１０の近傍で背板部１０６の内表面上に配置された電気コンタクト２４０を有することができる。電気コンタクト２４０は、電気コンタクトに電力が与えられるように、電源（図示せず）に電気的に接続される。この実施形態においては、展示棚モジュール１０８の後端に配置された取付クリップ１１２が電気コンタクト２３８をさらに有する。電気コンタクト２３８はプロジェクタ２０６に電気的に接続させることができ、展示棚モジュール１０８が背板部１０６に配置されて、取付クリップ１１２が取付開口に嵌め込まれたときに、背板部１０６の電気コンタクト２４０が展示棚モジュール１０８の電気コンタクト２３８に電気的に接続され、よって展示棚モジュール１０８の内部空間内に配置されたプロジェクタ２０６及び／または他の電気コンポーネントに電力を供給するように、配置される。
【００６０】
図１５及び１６を次に参照すれば、いくつかの実施形態において、展示棚モジュールは棚部及び棚部の着脱可能な態様で結合された着脱可能なプロジェクタユニットを有することができる。例えば、図１５は、棚部３６０及び着脱可能なプロジェクタユニット３６２を有する、別の実施形態の展示棚モジュールモジュール３５８の側面図を簡略に示す。棚部３６０は一般に、図１〜３に関して上述したように、製品をその上に置いて展示することができる、天板３７４及び、棚部３６０をモジュール型棚システムの背板部に取り付けるための、１つ以上の取付クリップ４１２（図示せず）を有する。しかし、この実施形態において、展示棚モジュール３５８の様々なプロジェクタコンポーネントは展示棚モジュール３５８の棚部３６０に着脱可能な態様で結合された着脱可能なプロジェクタユニット３６２内に収められる。詳しくは、着脱可能なプロジェクタユニット３６２は展示棚モジュールの様々なプロジェクタコンポーネント及びその他の電気コンポーネントがその中に装着される開放内部空間を概ね形成する、随意的な底板３７６，側板３７８，表示パネル４２０及び随意的な裏板３８２を有する、筐体である。様々なプロジェクタコンポーネントは図５〜６，１２，１３Ａ〜１３Ｂ及び１４に関して上述したようなコンポーネントとすることができる。さらに、着脱可能なプロジェクタユニット３６２は、本明細書に説明したように、立体照明装置、バーコードリーダー、等を有することもできる。
【００６１】
図１５及び１６をまだ参照すれば、着脱可能なプロジェクタユニット３６２は様々な方法で棚部３６０に取り付けることができる。例えば、いくつかの実施形態において、着脱可能なプロジェクタユニット３６２は、着脱可能なプロジェクタユニット３６２を棚部３６０から容易に取り外すことができるように、ねじまたはボルトのような、締結用ねじ部品で棚部３６０に取り付けることができる。あるいは及び／またはさらに、棚部３６０は、着脱可能なプロジェクタユニット３６２の側板３７８，３８０から延びる対応するフランジ３６６，３６８を受け入れるためのチャネル３７０，３７２を付けて形成することができる。フランジ３６６，３６８は、着脱可能なプロジェクタユニット３６２が着脱可能な態様で棚部３６０に取り付けられるように、チャネル３７０．３７２に滑動態様で受け入れられ得る。
【００６２】
着脱可能なプロジェクタユニット３６２が棚部３６０に着脱可能な態様で取り付けられるように展示棚モジュール３５８を構成することで、単一寸法の着脱可能なプロジェクタユニットを様々な奥行きの展示棚モジュール２５８とともに用いることが容易になる。例えば、特定の用途及び／または展示棚モジュール上に表示される製品のタイプに応じて、様々な奥行き（図１５に示される）Ｄをもつ展示棚モジュール２５８を構成することができる。しかし、プロジェクタコンポーネントはモジュール内に配置されて、プロジェクタと展示棚の間に固定された光路をつくるように確実に固定され、したがって、プロジェクタコンポーネントには、固定された奥行き寸法（図１５に示される）ｄに概ね対応する、モジュール内の固定された空間だけが必要であり得る。したがって、プロジェクタコンポーネントを収める展示棚モジュール３５８の実際部分が展示棚モジュールに全奥行きＤまで延びる必要はない。代わりに、１つの単一設計の、寸法が固定された着脱可能なプロジェクタユニット３６２を様々な寸法の展示棚モジュールとともに用いることができ、よって全体設計の変動を最小限に抑え、製造コストを削減することができる。
【００６３】
展示棚モジュール３５８が棚部３６０と着脱可能なプロジェクタユニット３６２で構成されている場合、展示棚モジュールは１つ以上のアダプタコンジット３６４（１つが図１５に示されている）を有することができる。例えば、図１５に示されるように展示棚モジュール３５８の棚部３６０の奥行きＤが着脱可能なプロジェクタユニット３６２の奥行きｄより大きい場合、表示パネル４２０が棚部３６０の前面と位置合わせされるように着脱可能なプロジェクタユニット３６２が配置されたときに、着脱可能なプロジェクタユニット３６２の後部と棚部３６０の端の間に隙間が存在し得る。モジュール型棚システムの背板と着脱可能なプロジェクタユニットの間に延びるワイア及び／またはその他のコンポーネントを、この隙間を通して導くことができる。この隙間を通して導かれる接続を覆って保護するため、着脱可能なプロジェクタユニット３６２の後部と棚部３６０の端の間に１つ以上のアダプタコンジット３６４を配置することができる。アダプタコンジット３６４は一般に、着脱可能なプロジェクタユニットと同様の態様で棚部３６０に取り付けられる、中空シェルである。例えば、締結用ねじ部品で着脱可能なプロジェクタユニット３６２が取り付けられる場合、アダプタコンジット３６４も締結用ねじ部品で取り付けることができる。あるいは、図１６に関して上述したように、スロット−フランジ接続を用いてアダプタコンジット３６４を滑動態様で取り付けることができる。
【００６４】
本明細書に説明されるモジュール型棚システムが、棚支持フレームの背板部に調節可能な態様で配置され得る、１つ以上の展示棚モジュールを備え得ることが今では当然である。展示棚モジュールは展示棚モジュールの前面に配置された表示パネル及び展示棚モジュール内に配置されたプロジェクタを有することができる。プロジェクタは、展示棚モジュールの表示パネルの前面上に画像データが見えるように、展示棚モジュールの表示パネルの背面上に光信号を投射する。画像データは、表示パネルの静止画像データ、ビデオ画像データ及び／またはこれらの組合せとすることができる。さらに、プロジェクタから表示パネルの背面上に投射される光信号は複数の画像の画像データを含むことができ、展示棚モジュールは光信号を、それぞれが別々の静止画像またはビデオ画像に対応する、複数の個別光信号に分解するための光学コンポーネントをさらに有することができる。
【００６５】
展示棚モジュール内にプロジェクタを配置することで、展示棚モジュールのモジュール方式が容易になり、支持フレームの背板部上の展示棚の縦方向及び／または横方向の配置及び再配置が可能になる。これは、大きすぎるかまたは小さすぎる製品を収容するために棚間隔を調節する、特定の棚システムから製品展示を撤去する、及び／または、再構成、輸送、等のためにモジュール型棚システムを分解することが必要な場合に特に有用である。さらに、個々の展示棚モジュールのモジュール性により、機能不全の事態において、棚システム全体の置換え及び／または棚システム全体の分解を必要とせずに、個々の棚の撤去及び置換が可能になる。
【００６６】
さらに、本明細書に説明されるモジュール型棚システムの表示パネルが、表示パネル上に表示される画像データにインタラクティブコンポーネントをもたせることを可能にする、タッチ機能を有し得ることも当然である。
【００６７】
さらに、本明細書に説明される個々の展示棚モジュールがその他の様々なコンポーネント及びアクセサリを有し得ることも当然である。例えば、いくつかの実施形態において、展示棚モジュールは、縦方向に隣接する棚上に存在する製品の量を決定するため、１つ以上の立体照明光源をさらに有することができる。あるいはまたはさらに、展示棚モジュールは、製品を識別するため、バーコードリーダーを有することができる。いくつかの実施形態において、展示棚モジュールは、マーカーによるかまたはマーカーによらない物の識別にため、立体照明光源を有することができる。また別の実施形態において、展示棚モジュールは、展示棚モジュールが客に見られている時を決定するため、視線追跡システムを有することができる。
【００６８】
様々なモジュール型棚システム及びモジュール型棚システム用展示棚モジュールが本明細書に開示されていることは当然である。第１の態様において、モジュール型棚システムは背板部及び基部を有する棚支持フレームを備える。少なくとも１つの展示棚モジュールが棚支持フレームの背板部に着脱可能な態様で結合される。少なくとも１つの展示棚モジュールは、
内部空間を定める、天板、随意的な底板及び側板
少なくとも１つの展示棚モジュールの前面に取り付けられた表示パネル、及び
少なくとも１つの展示棚モジュールの内部空間内に配置された少なくとも１つのプロジェクタであって、表示パネルの前面上に画像データが見えるように表示パネルの背面上に光信号を投射する少なくとも１つのプロジェクタ、
を有する。少なくとも１つの展示棚モジュールは、少なくとも１つの展示棚モジュールが棚支持フレームの背板部上に縦方向に配置されるように、棚支持フレームの背板部に着脱可能な態様で結合される。
【００６９】
第２の態様において、モジュール型棚システムの展示棚モジュールは、天板、随意的な底板及び側板を有し、天板、随意的な底板及び側板は展示棚モジュールの内部空間を定める。少なくとも１つの取付クリップが展示棚モジュールの後端から延び、少なくとも１つの取付クリップは棚支持フレームの背板部の対応する取付開口に嵌合するためのものである。表示パネルが展示棚モジュールの前面に取り付けられる。少なくとも１つのプロジェクタが展示棚モジュールの内部空間内に配置され、少なくとも１つのプロジェクタは表示パネルの前面上に画像データが見えるように表示パネルの背面上に光信号を投射する。少なくとも１つのプロジェクタから表示パネルの背面までの光路は展示棚モジュールの内部空間内に収められる。
【００７０】
第３の態様において、展示棚モジュールは棚部を有し、棚部は天板及び、棚部をモジュール型棚システムの背板部に取り付けるための、少なくとも１つの取付クリップを有する。着脱可能なプロジェクタユニットが棚部に着脱可能な態様で結合され、着脱可能なプロジェクタユニットの前面に固定された表示パネル及び着脱可能なプロジェクタユニットの内部空間内に配置された少なくとも１つのプロジェクタを有する。少なくとも１つのプロジェクタは、表示パネルの前面上に画像データが見えるように、表示パネルの背面上に光信号を投射する。
【００７１】
第４の態様において、展示棚モジュールは、天板、随意的な底板及び側板を有し、天板、随意的な底板及び側板は展示棚モジュールの内部空間を定める。少なくとも１つのプロジェクタが展示棚モジュールの内部空間内に配置され、少なくとも１つのプロジェクタは、表示パネルの前面上に画像データが見えるように、表示パネルの背面上に光信号を投射する。集光レンズ、画像デバイダ、複数の集束レンズ、前方ミラー及び少なくとも１つの後方ミラーを含む、複数の光学コンポーネントが展示棚モジュールの内部空間内に配置される。画像デバイダは少なくとも１つのプロジェクタからの光信号が画像デバイダに入射するように配置され、画像デバイダは少なくとも１つのプロジェクタからの光信号を複数の個別光信号に分割し、複数の個別光信号を前方ミラー上に向ける。集光レンズは少なくとも１つのプロジェクタと画像デバイダの間の光路に、光信号が少なくとも１つのプロジェクタから投射されたときに光信号が画像デバイダに到達する前に集光レンズを通過するように配置され、集光レンズは少なくとも１つのプロジェクタから投射された光信号を高密度化する。複数の集束レンズのそれぞれは複数の個別光信号の光路に複数の個別光信号のそれぞれが前方ミラーに到達する前に集束レンズを通過するように配置され、複数の集束レンズは複数の個別光信号を前方ミラー上に集束させる。前方ミラーは表示パネルの近傍に配置され、少なくとも１つの後方ミラーは展示棚モジュールの後端の近傍に配置される。前方ミラーは複数の個別光信号を少なくとも１つの後方ミラー上に向けて方向転換させるように方位が定められ、少なくとも１つの後方ミラーは複数の個別光信号を表示パネルの背面上に向けて方向転換させるように方位が定められる。少なくとも１つのプロジェクタから表示パネルの背面までの光路は内部空間内に収められる。
【００７２】
第５の態様において、モジュール型棚システムは背板部及び基部を有する棚支持フレームを備える。少なくとも１つの展示棚モジュールが棚支持フレームの背板部に着脱可能な態様で結合される。少なくとも１つの展示棚モジュールは、天板、随意的な底板及び側板を有し、天板、随意的な底板及び側板は内部空間を定める。少なくとも１つの展示棚モジュールの前面に表示パネルが取り付けられる。少なくとも１つのプロジェクタが展示棚モジュールの内部空間内に配置され、少なくとも１つのプロジェクタは表示パネルの前面上に画像データが見えるように表示パネルの背面上に光信号を投射する。少なくとも１つの展示棚モジュールの内部空間内に複数の光学コンポーネントが配置される。複数の光学コンポーネントは、集光レンズ、画像デバイダ、複数の集束レンズ、前方ミラー及び少なくとも１つの後方ミラーを含む。画像デバイダは少なくとも１つのプロジェクタからの光信号が画像デバイダに入射するように配置され、画像デバイダは少なくとも１つのプロジェクタからの光信号を複数の個別光信号に分割し、複数の個別光信号を前方ミラー上に向ける。集光レンズは少なくとも１つのプロジェクタと画像デバイダの間の光路に光信号が少なくとも１つのプロジェクタから投射されたときに光信号が画像デバイダに到達する前に集光レンズを通過するように配置され、集光レンズは少なくとも１つのプロジェクタから投射された光信号を高密度化する。複数の集束レンズのそれぞれは複数の個別光信号の光路に複数の個別光信号のそれぞれが前方ミラーに到達する前に集束レンズを通過するように配置され、複数の集束レンズは複数の個別光信号を前方ミラー上に集束させる。前方ミラーは表示パネルの近くに配置され、少なくとも１つの後方ミラーは少なくとも１つの展示棚モジュールの後端の近くに配置され、前方ミラーは複数の個別光信号を少なくとも１つの後方ミラー上に向けて方向転換させるように方位が定められ、少なくとも１つの後方ミラーは複数の個別光信号を表示パネルの背面上に向けて方向転換させるように方位が定められる。
【００７３】
第６の態様において、本開示はさらに、棚支持フレームが背板部に形成された取付開口のアレイを有し、取付開口アレイの個々の取付開口が縦方向に規則的間隔で隔てられている、第１の態様または第５の態様のモジュール型棚システムを提供する。少なくとも１つの展示棚モジュールは少なくとも１つの展示棚モジュールの後端から延びる少なくとも１つの取付クリップを有し、少なくとも１つの取付クリップは背板部の対応する取付開口と、少なくとも１つの展示棚モジュールが棚支持フレームの背板部に着脱可能な態様で結合されるように、嵌合する。
【００７４】
第７の態様において、本開示は、展示棚モジュールが封止されている、第１の態様から第６の態様のいずれかにあるような展示棚モジュールを提供する。
【００７５】
第８の態様において、本開示は、少なくとも１つのプロジェクタから表示パネルの背面までの光路が実質的に水平である、第１の態様から第７の態様のいずれかにあるような展示棚モジュールを提供する。
【００７６】
第９の態様において、本開示は、少なくとも１つのプロジェクタから表示パネルの背面までの光路が展示棚モジュールの内部空間内に収められている、第１の態様から第８の態様のいずれかにあるような展示棚モジュールを提供する。
【００７７】
第１０の態様において、本開示は、少なくとも１つのプロジェクタから表示パネルの背面までの光路がいかなる垂直方向区間も含んでいない、第１の態様から第９の態様のいずれかにあるような展示棚モジュールを提供する。
【００７８】
第１１の態様において、本開示は、少なくとも１つのプロジェクタから投射される光信号が複数の異なる画像に対するコンテンツを含んでいる、第１の態様から第１０の態様のいずれかにあるような展示棚モジュールを提供する。
【００７９】
第１２の態様において、本開示は、少なくとも１つのプロジェクタから投射される光信号が、静止画像コンテンツ、ビデオ画像コンテンツまたはこれらの組合せを含んでいる、第１の態様から第１１の態様のいずれかにあるような展示棚モジュールを提供する。
【００８０】
第１３の態様において、本開示は、少なくとも１つの展示棚モジュールの内部空間内に配置された複数の光学コンポーネントをさらに有し、複数の光学コンポーネントが、集光レンズ、画像デバイダ、複数の集束レンズ、前方ミラー及び少なくとも１つの後方ミラーを含む、第１の態様から第３の態様のいずれかにあるような展示棚モジュールを提供する。画像デバイダは少なくとも１つのプロジェクタからの光信号を複数の個別光信号に分割し、複数の個別光信号を前方ミラー上に向ける。集光レンズは少なくとも１つのプロジェクタと画像デバイダの間の光路に光信号が少なくとも１つのプロジェクタから投射されたときに光信号が画像デバイダに到達する前に集光レンズを通過するように配置され、集光レンズは少なくとも１つのプロジェクタから投射された光信号を高密度化する。複数の集束レンズのそれぞれは複数の個別光信号の光路に複数の個別光信号のそれぞれが前方ミラーに到達する前に集束レンズを通過するように配置され、複数の集束レンズは複数の個別光信号を前方ミラー上に集束させる。前方ミラーは表示パネルの近傍に配置され、少なくとも１つの後方ミラーは少なくとも１つの展示棚モジュールの後端の近傍に配置され、前方ミラーは複数の個別光信号を後方ミラー上に向けて方向転換させるように方位が定められ、少なくとも１つの後方ミラーは複数の個別光信号を表示パネルの背面上に向けて方向転換させるように方位が定められる。
【００８１】
第１４の態様において、本開示は、複数の光学コンポーネントが展示棚モジュールの天面及び展示棚モジュールの底面から機械的に隔離されている、第１の態様から第１３の態様のいずれかにあるような展示棚モジュールを提供する。
【００８２】
第１５の態様において、本開示は、少なくとも１つの展示棚モジュールの上部及びその少なくとも１つの展示棚モジュールの底部から隔てられたフローティングフレーム上に複数の光学コンポーネントが配置されている、第１の態様から第１３の態様のいずれかにあるような展示棚モジュールを提供する。
【００８３】
第１６の態様において、本開示は、フローティングフレームが基部及び基部に取り付けられた少なくとも１つのカンチレバー式支持アームを有している、第１の態様から第１５の態様のいずれかにあるような展示棚モジュールを提供する。
【００８４】
第１７の態様において、本開示は、少なくとも１つのプロジェクタ、集光レンズ、画像デバイダ及び複数の集束レンズが基部に取り付けられ、前方ミラー及び少なくとも１つの後方ミラーがカンチレバー式支持アームに取り付けられている、第１６の態様にあるような展示棚モジュールを提供する。
【００８５】
第１８の態様において、本開示は、少なくとも１つのプロジェクタによって投射される光信号に対する画像コンテンツが少なくとも１つのプロジェクタのメモリにローカルに格納されている、第１の態様から第１７の態様のいずれかにあるような展示棚モジュールを提供する。
【００８６】
第１９の態様において、本開示は、少なくとも１つのプロジェジュタに通信可能な態様で接続された外部コンピュータシステムをさらに有する、第１の態様から第１８の態様のいずれかにあるような展示棚モジュールを提供する。
【００８７】
第２０の態様において、本開示は、少なくとも１つのプロジェクタによって投射される光信号に対する画像コンテンツが外部コンピュータシステムに格納され、少なくとも１つのプロジェクタにダウンロードされる、第１の態様から第１９の態様のいずれかにあるような展示棚モジュールを提供する。
【００８８】
第２１の態様において、本開示は、少なくとも１つのプロジェクタがデジタルマイクロミラーデバイスに光学的に結合された光源を有する、第１の態様から第２０の態様のいずれかにあるような展示棚モジュールを提供する。
【００８９】
第２２の態様において、本開示は、光源が白色光源である、第２１の態様にあるような展示棚モジュールを提供する。
【００９０】
第２３の態様において、本開示は。光源が複数のレーザ光源を含む、第２１の態様にあるような展示棚モジュールを提供する。
【００９１】
第２４の態様において、本開示は、少なくとも１つの光検出器をさらに有し、少なくとも１つの光検出器は少なくとも１つのプロジェクタの制御回路に通信可能な態様で接続され、少なくとも１つのプロジェクタからの光信号が少なくとも１つの光検出器に入射するように配置されており、少なくとも１つの光検出器が光信号の強度を表す光信号を制御回路に送る、第１の態様から第２３の態様のいずれかにあるような展示棚モジュールを提供する。
【００９２】
第２５の態様において、本開示は、少なくとも１つの光検出器が、第１の光検出器、第２の光検出器及び第３の光検出器を含み、第１の光検出器が可視光の第１の波長範囲の強度を検出するように較正され、第２の光検出器が可視光の第２の波長範囲の強度を検出するように較正され、第３の光検出器が可視光の第３の波長範囲の強度を検出するように較正されている、第２４の態様にあるような展示棚モジュールを提供する。
【００９３】
第２６の態様において、本開示は、少なくとも１つのプロジェクタの制御回路が外部コンピュータシステムに通信可能な態様で接続され、強度信号を外部コンピュータシステムに中継し、外部コンピュータシステムが強度信号を解析して、光信号の光強度が閾レベルを下回っていることを強度信号が示すと、警報インジケータを提供する、第２４の態様から第２５の態様にあるような展示棚モジュールを提供する。
【００９４】
第２７の態様において、本開示は、少なくとも１つの展示棚モジュール内に配置されたバーコードリーダーをさらに有する、第１の態様から第２６の態様のいずれかにあるような展示棚モジュールを提供する。
【００９５】
第２８の態様において、本開示は、表示パネルの前方に提示されるバーコードをスキャンするようにバーコードリーダーの方位が定められている、第２７の態様にあるような展示棚モジュールを提供する。
【００９６】
第２９の態様において、本開示は、少なくとも１つの展示棚モジュールの随意的な底板の下方に提示されるバーコードをスキャンするようにバーコードリーダーの方位が定められている、第２７の態様にあるような展示棚モジュールを提供する。
【００９７】
第３０の態様において、本開示は、少なくとも１つのプロジェクタに通信可能な態様で接続された外部コンピュータシステム及びバーコードリーダーをさらに有し、外部コンピュータシステムが外部コンピュータシステムのメモリに格納されたマシンによる読出し及び実行が可能な命令セットで、命令セットが外部コンピュータシステムによって実行される場合のように、プログラムされている、第２７の態様から第２９の態様のいずれかにあるような展示棚モジュールを提供する。外部コンピュータシステムはスキャンされたバーコードを表す信号をバーコードリーダーから受け取り、スキャンされたバーコードに関係付けられた製品を識別するためにバーコードにしたがって索引が付けられた製品情報のデータベースを検索し、少なくとも１つのプロジェクタによって表示パネル上に製品に関する製品情報を投影する。
【００９８】
第３１の態様において、本開示は、少なくとも１つのプロジェクタに通信可能な態様で接続された外部コンピュータシステム及びバーコードリーダーをさらに有し、外部コンピュータシステムが外部コンピュータシステムのメモリに格納されたマシンによる読出し及び実行が可能な命令セットで、命令セットが外部コンピュータシステムによって実行される場合のように、プログラムされている、第２７の態様から第２９の態様のいずれかにあるような展示棚モジュールを提供する。外部コンピュータシステムはスキャンされたバーコードを表す信号をバーコードリーダーから受け取り、ユーザに顧客アカウント情報を入力するように促すプロンプトを表示パネル上に表示し、スキャンされたバーコードに関係付けられた製品を識別するためにバーコードにしたがって索引が付けられた製品情報のデータベースを検索する。
【００９９】
第３２の態様において、本開示は、外部コンピュータシステムが少なくとも１つのプロジェクタによって表示パネル上に製品に関する製品情報を投影するようにさらにプログラムされている、第３１の態様にあるような展示棚モジュールを提供する。
【０１００】
第３３の態様において、本開示は、外部コンピュータシステムが顧客アカウント情報の関連付けられた電子アカウントに製品に関する製品情報を格納するようにさらにプログラムされている、第３１の態様から第３２の態様にあるような展示棚モジュールを提供する。
【０１０１】
第３４の態様において、本開示は、外部コンピュータシステムが顧客アカウント情報に関連付けられた電子メールアドレスに製品に関する製品情報を電子メールで送るようにさらにプログラムされている、第３３の態様にあるような展示棚モジュールを提供する。
【０１０２】
第３５の態様において、本開示は、少なくとも１つの展示棚モジュールの表示パネルがタッチスクリーンである、第１の態様から第３４の態様にあるような展示棚モジュールを提供する。
【０１０３】
第３６の態様において、本開示は、タッチスクリーンが光学タッチスクリーンである、第３５の態様にあるような展示棚モジュールを提供する。
【０１０４】
第３７の態様において、本開示は、少なくとも１つの展示棚モジュールの内部空間内に配置され、表示パネルの背面を照明するように構成された、１つ以上の赤外線バックライト、及び少なくとも１つの展示棚モジュールの内部空間内に配置され、表示パネルの背面の画像を取り込むように方位が定められた１つ以上の検出器を、タッチスクリーンが有する、第３６の態様にあるような展示棚モジュールを提供する。
【０１０５】
第３８の態様において、本開示は、視線追跡システムをさらに有する、第１の態様から第３７の態様にあるような展示棚モジュールを提供する。
【０１０６】
第３９の態様において、本開示は、立体照明装置をさらに有し、立体照明装置が少なくとも１つの展示棚モジュールの内部空間内に配置され、アレイ光を、下方に向けて、縦方向に隣接する展示棚モジュール上に投射するように方位が定められている、第１の態様から第３８の態様にあるような展示棚モジュールを提供する。
【０１０７】
第４０の態様において、本開示は、少なくとも１つのプロジェクタに通信可能な態様で接続された外部コンピュータシステム及び立体照明装置をさらに有し、外部コンピュータ装置が、外部コンピュータシステムのメモリに格納されたマシンによる読出し及び実行が可能な命令セットで、命令セットが外部コンピュータシステムのプロセッサによって実行される場合のように、プログラムされている、第３９の態様にあるような展示棚モジュールを提供する。外部コンピュータシステムは投射されたアレイ光の取り込まれた画像を表すデータ信号を立体照明装置から受け取り、投射されたアレイ光の取り込まれた画像を、縦方向に隣接する展示棚モジュールが空であるときのアレイ光の画像または縦方向に隣接する展示棚モジュールが製品で一杯であるときのアレイ光の画像と比較し、縦方向に隣接する展示棚モジュールが空であるときのアレイ光の画像または縦方向に隣接する展示棚モジュールが製品で一杯であるときのアレイ光の画像との投射されたアレイ光の取り込まれた画像の比較に基づいて、縦方向に隣接する展示棚モジュール上に配置されている製品の量を決定する。
【０１０８】
第４１の態様において、本開示は、少なくとも１つのプロジェクタに通信可能な態様で接続された外部コンピュータシステム及び立体照明装置をさらに有し、外部コンピュータ装置が、外部コンピュータシステムのメモリに格納されたマシンによる読出し及び実行が可能な命令セットで、命令セットが外部コンピュータシステムのプロセッサによって実行される場合のように、プログラムされている、第３９の態様にあるような展示棚モジュールを提供する。外部コンピュータシステムは投射されたアレイ光の取り込まれた画像を表すデータ信号を立体照明装置から受け取り、外部コンピュータシステムのメモリにあるルックアップテーブルに格納された複数の画像のそれぞれと比較し、投射されたアレイ光の取り込まれた画像のルックアップテーブルに格納された複数の画像との比較に基づいて、縦方向に隣接する展示棚モジュール上に配置されている製品の量及び／または縦方向に隣接する展示棚モジュールに製品をさらに追加するべきか否かを決定する。
【０１０９】
第４２の態様において、本開示は、少なくとも１つの展示棚モジュールが、少なくとも１つの展示棚モジュールの内部空間内に配置され、少なくとも１つの展示棚モジュールの下方に配置されている隣接展示棚モジュールの画像を取り込むように方位が定められている立体視システムをさらに有している、第１から第４１の態様にあるような展示棚モジュールを提供する。
【０１１０】
第４３の態様において、本開示は、少なくとも１つの展示棚モジュールが無線接続によって外部コンピュータシステムに通信可能な態様で接続されている、第１から第４２の態様にあるような展示棚モジュールを提供する。
【０１１１】
第４４の態様において、本開示は、少なくとも１つの展示棚モジュールモジュールが、「イーサネット」接続によって外部コンピュータシステムに接続され、「イーサネット」接続が少なくとも１つの展示棚モジュールの少なくとも１つのプロジェクタにデータ信号及び電力を供給している、第１から第４３の態様にあるような展示棚モジュールを提供する。
【０１１２】
第４５の態様において、本開示は、棚支持フレームの背板部を介して少なくとも１つの展示棚モジュールに電力が供給されている、第１から第４４の態様にあるような展示棚モジュールを提供する。
【０１１３】
第４６の態様において、本開示は、背板部が少なくとも１つの電気コンタクトを有し、少なくとも１つの展示棚モジュールが棚支持フレームの背板部に着脱可能な態様で結合されたときに、少なくとも１つの展示棚モジュールが背板部に電気的に接続されて少なくとも１つの展示棚モジュールの少なくとも１つのプロジェクタに電力が供給されるように、展示棚モジュールが少なくとも１つの対応する電気コンタクトを有している、第４５の態様にあるような展示棚モジュールを提供する。
【０１１４】
第４７の態様において、本開示は、無線接続を介して少なくとも１つの展示棚モジュールに電力が供給されている、第１から第４６の態様にあるような展示棚モジュールを提供する。
【０１１５】
第４８の態様において、本開示は、少なくとも１つの展示棚モジュールの表示パネルが表示パネルの背面上に複数本のフレネル線を有している、第１から第４７の態様にあるような展示棚モジュールを提供する。
【０１１６】
第４９の態様において、本開示は、棚部が奥行きＤを有し、着脱可能なプロジェクタユニットが奥行きｄを有し、Ｄ＞ｄである、第３の態様にあるような展示棚モジュールを提供する。
【０１１７】
第５０の態様において、本開示は、棚部の後端と着脱可能なプロジェクタユニットの背部の間に配置された少なくとも１つのアダプタコンジットをさらに有している、第１から第４９の態様にあるような展示棚モジュールを提供する。
【０１１８】
語「実質的に」及び「約」は本明細書において、いかなる定量的な比較、値、測定値またはその他の表現にも帰因させ得る本質的な不確定性の度合いを表すために用いられる。これらの語は本明細書において、定量的表現が、取り上げられている主題の基本機能に変化を生じさせずに、言明された基準から変わり得る度合いを表すためにも用いられる。
【０１１９】
特定の実施形態を本明細書に示し、説明したが、特許請求される主題の精神及び範囲を逸脱することなく他の様々な変更及び改変がなされ得ることは当然である。さらに、特許請求される主題の様々な態様が本明細書に説明されているが、そのような態様が組み合わせて用いられる必要はない。したがって、添付される特許請求の範囲は、特許請求される主題の範囲内にあるそのような変更及び改変の全てを包含するとされる。
【符号の説明】
【０１２０】
１００    モジュール型棚システム
１０２    棚支持フレーム
１０４    基部
１０６    背板部
１０８，３０８    展示棚モジュール
１１０    取付開口
１１２    取付クリップ
１１４    天板
１１６    底板
１１８，３１８    内部空間
１２０．３２０    表示パネル
１２１ａ，１２１ｂ，１２１ｃ    画像データ
１２２    裏板
１２４，３２４    表示パネルの前面
１２６，３２６    表示パネルの背面
２０６，３０６    プロジェクタ
２０７    外部コンピュータシステム
２１０    集光レンズ
２１２    画像デバイダ
２１３ａ，２１３ｂ．２１３ｃ    個別光信号
２１４ａ，２１４ｂ，２１４ｃ    集束レンズ
２１６    前方ミラー
２１８ａ，２１８ｂ，２１８ｃ    後方ミラー
２２０ａ，２２０ｂ，２２０ｃ    光検出器
２３８，２４０    電気コンタクト
２６０    立体照明装置
２６１    アレイ光
２７０    バーコードリーダー
２７１    投射光
２８０    赤外線バックライト
２８２，２８４    検出器
２８６    仮想ボタン
４００    製品
５２０    光センサ
５２２    ビームスプリッタ
５２４    赤外ＬＥＤ素子アレイ
５５０    フローティングフレーム
５５２    ベース
５５４    カンチレバー式支持アーム
５６０    フローティングスタンション
【図１】
2020126683.tif 000003
【図２】
2020126683.tif 000004
【図３】
2020126683.tif 000005
【図４】
2020126683.tif 000006
【図５】
2020126683.tif 000007
【図６】
2020126683.tif 000008
【図７】
2020126683.tif 000009
【図８】
2020126683.tif 000010
【図９】
2020126683.tif 000011
【図１０Ａ】
2020126683.tif 000012
【図１０Ｂ】
2020126683.tif 000013
【図１１】
2020126683.tif 000014
【図１２】
2020126683.tif 000015
【図１３Ａ】
2020126683.tif 000016
【図１３Ｂ】
2020126683.tif 000017
【図１４】
2020126683.tif 000018
【図１５】
2020126683.tif 000019
【図１６】
2020126683.tif 000020
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
展示棚モジュールにおいて、
前記展示棚モジュールの内部空間を画定する天板、随意的な底板及び側板、
前記展示棚モジュールの前面に取り付けられた表示パネル、
前記天板および前記底板から離間した水平部分を含むフレーム、
前記展示棚モジュールの前記内部空間内に配置された複数の光学コンポーネントであって、集光レンズ、画像デバイダ、複数の集束レンズ、および、少なくとも１つの後方ミラーを含み、前記複数の光学コンポーネントの１つ以上が前記フレームの前記水平部分に位置するものである複数の光学コンポーネント、並びに、
前記展示棚モジュールの前記内部空間内に配置された少なくとも１つのプロジェクタであって、前記表示パネルの前面上に画像データが見えるように、光信号を該表示パネルの背面上に投射する少なくとも１つのプロジェクタ
を含み、
前記少なくとも１つのプロジェクタから前記表示パネルの前記背面までの光路は、前記表示棚モジュールの前記内部空間内に収められたものである展示棚モジュール。
【請求項２】
前記画像デバイダは、前記少なくとも１つのプロジェクタからの前記光信号が前記画像デバイダ上に入射するように配置されて、該少なくとも１つのプロジェクタからの該光信号を複数の個別光信号に分割するものである、請求項１に記載の展示棚モジュール。
【請求項３】
前記画像デバイダは、相互にスタックされた複数枚のミラーを含むものである、請求項１または２に記載の展示棚モジュール。
【請求項４】
前記画像デバイダは、前記プロジェクタからの前記光信号を複数の個別光信号に分割して、前記複数の個別光信号を前記表示パネルの背面へと向けるように配置されて、該複数の個別光信号に対応する複数の画像が該表示パネルの前記前面上に見えるようにするものである、請求項１に記載の展示棚モジュール。
【請求項５】
前記複数の画像は、互いに異なるものである、請求項４に記載の展示棚モジュール。